(57)【要約】      （修正有）【課題】表面又は裏面の滑り止め効果を使用者の要求に沿って施工することができるフロアタイルを提供する。【解決手段】複数個を組み合わせることで室内用のフロア材を形成するフロアタイル１０において、発泡樹脂層にて形成された板状の基材２０を備え、基材の表面３０側にはアクリル製塗料からなる滑り止め部３２が全面あるいは間欠的に塗布され、基材の裏面側にもアクリル製塗料からなる滑り止め部が全面あるいは間欠的に塗布されている。【選択図】図１
0003229488.tif 000002
【実用新案登録請求の範囲】
【請求項１】
複数個を組み合わせることで室内用のフロア材を形成するフロアタイルにおいて、
発泡樹脂にて形成された板状の基材を備え、
前記基材の表面側には滑り止めのアクリル製塗料が全面あるいは間欠的に塗布されていることを特徴とするフロアタイル。
【請求項２】
複数個を組み合わせることで室内用のフロア材を形成するフロアタイルにおいて、
発泡樹脂にて形成された板状の基材を備え、
前記基材の裏面側には滑り止めのアクリル製塗料が全面あるいは間欠的に塗布されていることを特徴とするフロアタイル。
【請求項３】
複数個を組み合わせることで室内用のフロア材を形成するフロアタイルにおいて、
発泡樹脂層にて形成された板状の基材を備え、
前記基材の表面側には滑り止めのアクリル製塗料が全面あるいは間欠的に塗布され、
前記基材の裏面側には滑り止めのアクリル製塗料が全面あるいは間欠的に塗布されていることを特徴とするフロアタイル。
【考案の詳細な説明】
【技術分野】
【０００１】
本考案は、室内フロアに敷くための分割型のフロアタイルに関するものである。
【背景技術】
【０００２】
室内フロアに敷く合成樹脂製のタイル状のフロアタイルが知られている（例えば、特許文献１参照。）。このようなフロアマットは、敷設する室内フロアの面積や形状に応じた枚数を組み合わせてフロアタイルを繋ぎ合わせてフロアマットを構成している。フロアタイルの端面は互いに連結する連結部が形成されている。フロアマットの施工後においても容易に着脱が可能である。
【０００３】
また、フロアタイルは、合成樹脂製であることから、弾力性を有するという利点はあるものの、表面がやや滑りやすいため、表面に微細な凹凸を形成し、滑り止めとすることがあった。
【先行技術文献】
【特許文献】
【０００４】
【特許文献１】特開２００２−３０３０３５号公報
【考案の概要】
【考案が解決しようとする課題】
【０００５】
上述したようにフロアタイルにあっては、次のような問題があった。すなわち、凹凸による滑り止めは一定の効果を有するものの、その室内の使用方法や使用者によっては不十分になるケースがあった。例えば、家庭のリビングルームに設置する場合とオフィスに設置する場合、また、家庭でも大人だけの家庭と、子供が居る家庭の如く、必要とされる滑り止め効果は様々であった。
【０００６】
また、凹凸による滑り止めはその形状を変更することで効果を増減させることもできるが、十分な滑り止め効果を得るのは難しかった。
【０００７】
本考案は、このような課題に鑑みてなされたものであり、その目的とするところは、表面の滑り止め効果を使用者の要求に沿って施工することができるフロアタイルを提供することにある。
【課題を解決するための手段】
【０００８】
本考案は、複数個を組み合わせることで室内用のフロア材を形成するフロアタイルにおいて、発泡樹脂にて形成された板状の基材を備え、前記基材の表面側には滑り止めのアクリル製塗料が全面あるいは間欠的に塗布されている。
【０００９】
本考案は、複数個を組み合わせることで室内用のフロア材を形成するフロアタイルにおいて、発泡樹脂にて形成された板状の基材を備え、前記基材の裏面側には滑り止めのアクリル製塗料が全面あるいは間欠的に塗布されている。
【００１０】
本考案は、複数個を組み合わせることで室内用のフロア材を形成するフロアタイルにおいて、発泡樹脂層にて形成された板状の基材を備え、前記基材の表面側には滑り止めのアクリル製塗料が全面あるいは間欠的に塗布され、前記基材の裏面側には滑り止めのアクリル製塗料が全面あるいは間欠的に塗布されている。
【考案の効果】
【００１１】
本考案のフロアタイルによれば、表面の滑り止め効果を使用者の要求に沿って施工することができる。
【図面の簡単な説明】
【００１２】
【図１】本考案の実施形態であるフロアタイルが施工された室内の要部を示す斜視図である。
【図２】同フロアタイルの表面を示す平面図である。
【図３】同フロアタイルの裏面を示す平面図である。
【図４】同フロアタイルの断面図である。
【考案を実施するための形態】
【００１３】
以下、図面を参照しつつ本考案の実施形態について説明する。  
図１は本考案の実施形態であるフロアタイル１０が施工された室内の要部を示す斜視図、図２はフロアタイル１０の表面を示す平面図、図３はフロアタイル１０の裏面を示す平面図、図４はフロアタイル１０を示す断面図である。なお、図１中Ｗは壁、Ｆは床面を示している。
【００１４】
図１に示すように、床面Ｆ上に複数のフロアタイル１０が敷設されている。複数のフロアタイル１０は、複数の端部タイル５０と共にフロア材を構成している。端部タイル５０は壁部Ｗに密着配置されている。
【００１５】
フロアタイル１０は、発泡スチレン材や発泡ポリエチレン材（発泡樹脂材）により形成された板状の基材２０を備えている。基材２０の周囲には、他のフロアタイル１０又は端部タイル５０に係合するための凸部２１と凹部２２が形成されている。フロアタイル１０及び端部タイル５０によって床面Ｆ上は相互に結合された状態で敷設されている。なお、フロアタイル１０及び端部タイル５０は床面Ｆ上を全て覆ってもよいし、一部のみを覆ってもよい。
【００１６】
図２及び図４に示すように、基材２０の表面３０は、凹凸部３１が一体的に形成されている。凹凸部３１は拡大部Ｋに示すように、例えば、縦溝と横溝が多数形成されている。基材２０の表面３０側には間欠的にアクリル製塗料が塗布され、滑り止め部３２が形成されている。図３及び図４に示すように、基材２０の裏面４０側には間欠的にアクリル製塗料が塗布され、滑り止め部４１が形成されている。
【００１７】
滑り止め部３２及び滑り止め部４１の塗布箇所、塗布面積等は、使用者や使用方法等によって、適宜変更しても良い。例えば、幼児の居る家庭では、幼児が滑らないように滑り止め部３２を多く、かつ、広めに施工し、滑り止め部４１については大きな荷重がかからないために少なくしてもよい。逆に、オフィス等の床材として用いる場合には、滑り止め部３２を少なく、滑り止め部４１については多く、かつ、広めに施工して、大きな荷重がかかってもずれないようにしても良い。なお、滑り止め部３２又は滑り止め部４１についてはいずれか一方を省略してもよい。
【００１８】
以上、本考案の実施形態について説明したが、本考案はこれに限定されることなくその趣旨を逸脱しない範囲で種々の改良・変更が可能であることは勿論である。例えば、上述した滑り止め部は間欠的に施工したが、全面に施工するようにしてもよい。
【産業上の利用可能性】
【００１９】
本考案は、表面の滑り止め効果を使用者の要求に沿って施工することができる室内の床面に設置するフロアタイルとして有効である。
【符号の説明】
【００２０】
１０…フロアタイル、２０…基材、２１…凸部、２２…凹部、３０…表面、３１…凹凸部、３２…止め部、４０…裏面、４１…止め部、５０…端部タイル。
【図１】
0003229488.tif 000003
【図２】
0003229488.tif 000004
【図３】
0003229488.tif 000005
【図４】
0003229488.tif 000006